(57)【特許請求の範囲】
【請求項１】
白熱球が装着されるランプソケットに着脱自在に取り付けられることにより、配線コードが接続されたＬＥＤバルブを前記白熱球に換えて点灯させる灯具用電源アダプタにおいて、
前記灯具用電源アダプタは、前記白熱球の種類により異なる形状とされたランプソケットのそれぞれに対して装着可能な絶縁基板と、前記絶縁基板に形成されて前記配線コードと接続される配線回路部とを有し、
前記配線回路部は、前記ランプソケットに設けられるソケット電極端子に接して導通される外部端子をその配線回路部の一部に備えており、前記外部端子を、前記白熱球の種類に応じて複数設け、
前記外部端子は、前記配線回路部の一部を外部端子とする他に、前記絶縁基板に対してスライド自在に取り付けられて前記配線回路部と接続されるスライド外部端子を有し、
前記スライド外部端子は、前記絶縁基板に形成された長穴をガイドとして表面及び裏面に沿ってスライド自在とされる絶縁樹脂体と、この絶縁樹脂体に取り付けられた電極とを有し、
前記電極は、前記スライド外部端子を前記絶縁基板の第１位置に移動させた時には前記配線回路部のうち前記絶縁基板の側面に回り込んで形成された部位に接触して外部端子として機能し、前記第１位置とは異なる第２位置に移動させた時には前記配線回路部のうち前記絶縁基板の側面に回り込んで形成された部位と非接触となり外部端子として機能しない
ことを特徴とする灯具用電源アダプタ。
【請求項２】
請求項１に記載の灯具用電源アダプタであって、
前記配線コードと前記配線回路部の接続部分に、該接続部分を覆って保護し、該配線コードを挿入させる配線コード引出し孔が形成された配線コード保護部材を設けた
ことを特徴とする灯具用電源アダプタ。
【請求項３】
請求項１又は請求項２に記載の灯具用電源アダプタであって、
前記第１位置及び第２位置には、前記スライド外部端子の前記絶縁基板に対するスライドを不可能とするロック手段が設けられている
ことを特徴とする灯具用電源アダプタ。
【請求項４】
請求項３に記載の灯具用電源アダプタであって、
前記ロック手段は、前記絶縁基板に形成された前記長穴の両端部に形成された該長穴の幅よりも狭い溝部と、前記絶縁樹脂体に形成され、前記長穴に挿入されて前記溝部に入り込みロックされるスライドガイド部とからなる
ことを特徴とする灯具用電源アダプタ。
【請求項５】
請求項３に記載の灯具用電源アダプタであって、
前記配線コードと前記配線回路部の接続部分に、該接続部分を覆って保護し、該配線コードを挿入させる配線コード引出し孔が形成された配線コード保護部材が設けられ、
前記ロック手段は、
前記絶縁基板に形成された前記長穴の外側端部に形成された該長穴の幅よりも狭い溝部及び、前記絶縁樹脂体に形成され、前記長穴に挿入されて前記溝部に入り込んで両者をロックするスライドガイド部と、
前記配線コード保護部材に形成された突起部及び、前記スライド外部端子が第２位置に移動した時に該突起部を嵌合させて両者をロックする前記絶縁樹脂体に形成された穴部と、からなる
ことを特徴とする灯具用電源アダプタ。
【請求項６】
請求項１から請求項５の何れか１項に記載の灯具用電源アダプタであって、
前記絶縁基板に着脱自在とされて、前記配線回路部の一部を覆って保護する絶縁カバー部材とを備えた
ことを特徴とする灯具用電源アダプタ。
【請求項７】
請求項６に記載の灯具用電源アダプタであって、
前記絶縁カバー部材は、少なくとも使用していない外部端子を覆う
ことを特徴とする灯具用電源アダプタ。
【請求項８】
請求項１から請求項７の何れか１項に記載の灯具用電源アダプタに配線コードを介してＬＥＤバルブを接続した車両用灯具。
【発明の詳細な説明】
【技術分野】
【０００１】
本発明は、既存の白熱球をＬＥＤバルブに代替えするための灯具用電源アダプタ及びこれを用いた車両用灯具に関する。
【背景技術】
【０００２】
例えば、自動車等の分野においては、これまで車両用灯具として用いられてきた白熱球の代替え品として、低消費電力且つ発光色が美しいＬＥＤを光源としたＬＥＤバルブが使用されている。
【０００３】
例えば、近年における自動車用の前照灯には、蛍光灯色に近く青白く光るディスチャージヘッドランプ（discharge headlight、放電式ヘッドライト）が採用されつつある。この種のヘッドランプを持つドライバーの中には、青白く光る色味に車幅灯やルームランプ或いはライセンスランプ等を合わせたいという要望を持つ人達が多くいる。その要望に応えるため、既存の白熱球に代えてＬＥＤバルブをソケットに装着できるようにしたアフターパーツの需要が高まっている。
【０００４】
特許文献１には、ＬＥＤを搭載した基板から延びる配線コードの先端に、白熱バルブソケットに着脱自在に嵌合する端子部材（電源アダプタ）を取り付け、その端子部材を、ＪＩＳ規格Ｇ１４球の円筒口金及びＪＩＳ規格Ｔ１０ウェッジ球のウェッジベース口金と同形状とした２種類を用意し、Ｇ１４球に対しては、この口金形状と同形状の端子部材を接続し、Ｔ１０ウェッジ球に対しては、この口金形状と同形状の端子部材を接続することが記載されている。
【０００５】
特許文献２には、特許文献１と同様、種類の異なる白熱球に応じた電源アダプタを用意し、それぞれの白熱球に応じた専用の電源アダプタを使用することが記載されている。
【先行技術文献】
【特許文献】
【０００６】
【特許文献１】特開２０００−１００２１８号公報
【特許文献２】実用新案登録第３１２０８４８号公報
【発明の概要】
【発明が解決しようとする課題】
【０００７】
このように、従来の電源アダプタ交換式では、ＬＥＤバルブが配線コードによって接続された電源アダプタを数種類用意して販売されている。しかし、装着する灯具に必要なのは１種類の電源アダプタであり、残りの電源アダプタは別の灯具に付け替える時まで保管する必要があるため、紛失する恐れがある。
【０００８】
また、従来の電源アダプタ交換式では、使用するかどうか判らない電源アダプタを添付して販売するという資源の無駄にもなる。仮に、電源アダプタをＬＥＤバルブと別売りにすると、一般ユーザーが誤った電源アダプタを購入することが考えられる。
【０００９】
そこで、本発明は、数種類の白熱球に対応して１つの灯具用電源アダプタのみで白熱球に換えてＬＥＤバルブを点灯させることのできる汎用性の高い灯具用電源アダプタ及びこれを用いた車両用灯具を提供することを目的とする。
【課題を解決するための手段】
【００１０】
請求項１に記載の発明は、白熱球が装着されるランプソケットに着脱自在に取り付けられることにより、配線コードが接続されたＬＥＤバルブを前記白熱球に換えて点灯させる灯具用電源アダプタにおいて、前記灯具用電源アダプタは、前記白熱球の種類により異なる形状とされたランプソケットのそれぞれに対して装着可能な絶縁基板と、前記絶縁基板に形成されて前記配線コードと接続される配線回路部とを有し、前記配線回路部は、前記ランプソケットに設けられるソケット電極端子に接して導通される外部端子をその配線回路部の一部に備えており、前記外部端子を、前記白熱球の種類に応じて複数設け、前記外部端子は、前記配線回路部の一部を外部端子とする他に、前記絶縁基板に対してスライド自在に取り付けられて前記配線回路部と接続されるスライド外部端子を有し、前記スライド外部端子は、前記絶縁基板に形成された長穴をガイドとして表面及び裏面に沿ってスライド自在とされる絶縁樹脂体と、この絶縁樹脂体に取り付けられた電極とを有し、前記電極は、前記スライド外部端子を前記絶縁基板の第１位置に移動させた時には前記配線回路部のうち前記絶縁基板の側面に回り込んで形成された部位に接触して外部端子として機能し、前記第１位置とは異なる第２位置に移動させた時には前記配線回路部のうち前記絶縁基板の側面に回り込んで形成された部位と非接触となり外部端子として機能しないことを特徴としている。
【００１２】
請求項２に記載の発明は、請求項１に記載の灯具用電源アダプタであって、前記配線コードと前記配線回路部の接続部分に、該接続部分を覆って保護し、該配線コードを挿入させる配線コード引出し孔が形成された配線コード保護部材を設けたことを特徴としている。
【００１４】
請求項３に記載の発明は、請求項１又は請求項２に記載の灯具用電源アダプタであって、前記第１位置及び第２位置には、前記スライド外部端子の前記絶縁基板に対するスライドを不可能とするロック手段が設けられていることを特徴としている。
【００１５】
請求項４に記載の発明は、請求項３に記載の灯具用電源アダプタであって、前記ロック手段は、前記絶縁基板に形成された前記長穴の両端部に形成された該長穴の幅よりも狭い溝部と、前記絶縁樹脂体に形成され、前記長穴に挿入されて前記溝部に入り込みロックされるスライドガイド部とからなることを特徴としている。
【００１６】
請求項５に記載の発明は、請求項３に記載の灯具用電源アダプタであって、前記配線コードと前記配線回路部の接続部分に、該接続部分を覆って保護し、該配線コードを挿入させる配線コード引出し孔が形成された配線コード保護部材が設けられ、前記ロック手段は、前記絶縁基板に形成された前記長穴の外側端部に形成された該長穴の幅よりも狭い溝部及び、前記絶縁樹脂体に形成され、前記長穴に挿入されて前記溝部に入り込んで両者をロックするスライドガイド部と、前記配線コード保護部材に形成された突起部及び、前記スライド外部端子が第２位置に移動した時に該突起部を嵌合させて両者をロックする前記絶縁樹脂体に形成された穴部と、からなることを特徴としている。
【００１７】
請求項６に記載の発明は、請求項１から請求項５の何れか１項に記載の灯具用電源アダプタであって、前記絶縁基板に着脱自在とされて、前記配線回路部の一部を覆って保護する絶縁カバー部材とを備えたことを特徴としている。
【００１８】
請求項７に記載の発明は、請求項６に記載の灯具用電源アダプタであって、前記絶縁カバー部材は、少なくとも使用しない外部端子を覆うことを特徴としている。
【００１９】
請求項８に記載の発明は、請求項１から請求項７の何れか１項に記載の灯具用電源アダプタに配線コードを介してＬＥＤバルブを接続した車両用灯具であることを特徴としている。
【発明の効果】
【００２０】
本発明の灯具用電源アダプタによれば、白熱球の種類により異なる形状とされたランプソケットのそれぞれに対して装着可能な絶縁基板と、この絶縁基板に形成される配線回路部とを有しており、該ランプソケットに設けられたソケット電極に接して導通される外部端子を前記配線回路部の一部に備え、その外部端子を白熱球の種類に応じて複数設けた構造であるので、各種類のランプソケットに対してそれに応じた外部端子が接続されることになり、一つの灯具用電源アダプタのみで各種類の白熱球に対する代替えを実現することができる。
【図面の簡単な説明】
【００２１】
【図１】図１はスライド外部端子を配線コード保護部材に結合させてＴ１０×３１舟形球の一形態に対応させた灯具用電源アダプタの例を示す斜視図である。
【図２】図２はスライド外部端子を配線コード保護部材から離れた位置にスライドさせてＴ１０×３１舟形球の他の形態に対応させた灯具用電源アダプタの例を示す斜視図である。
【図３】図３は配線コード保護部材を示し、図２に示すＡ−Ａ線位置における断面図である。
【図４】図４は配線コード保護部材を示し、その分解断面図である。
【図５】図５は図１に示す灯具用電源アダプタを構成する絶縁基板を示し、（Ａ）は裏面図、（Ｂ）は（Ｃ）の左側面図、（Ｃ）は正面図、（Ｄ）は（Ｃ）の右側面図である。
【図６】図６は図１に示すスライド外部端子を構成する絶縁樹脂体を示し、（Ａ）は一方の絶縁樹脂体の正面図、（Ｂ）は他方の絶縁樹脂体の正面図、（Ｃ）は（Ａ）の右側面図、（Ｄ）は（Ｂ）の右側面図である。
【図７】図７は図１に示す灯具用電源アダプタを構成する電極を示し、（Ａ）は正面図、（Ｂ）はその上面図、（Ｃ）はその右側面図である。
【図８】図８（Ａ）はＴ１０×３１舟形球の一形態の正面図、（Ｂ）はこのＴ１０×３１舟形球に対応させた灯具用電源アダプタの正面図、（Ｃ）は（Ｂ）の右側面図である。
【図９】図９（Ａ）はＴ１０×３１舟形球の別形態の正面図、（Ｂ）はこのＴ１０×３１舟形球に対応させた灯具用電源アダプタの正面図、（Ｃ）は（Ｂ）の右側面図である。
【図１０】図１０（Ａ）はＧ１４球の正面図、（Ｂ）はこのＧ１４球に対応させた灯具用電源アダプタの正面図、（Ｃ）は（Ｂ）の右側面図である。
【図１１】図１１（Ａ）はＴ１０ウェッジ球の正面図、（Ｂ）はこのＴ１０ウェッジ球に対応させた灯具用電源アダプタの正面図、（Ｃ）は（Ｂ）の右側面図である。
【図１２】図１２はＴ１０×３１舟形球の一形態に換えてこれに対応する灯具用電源アダプタをランプソケットに装着する例を示す車両用灯具の全体斜視図である。
【図１３】図１３はＴ１０×３１舟形球の別形態に換えてこれに対応する灯具用電源アダプタをランプソケットに装着する例を示す車両用灯具の全体斜視図である。
【図１４】図１４（Ａ）は配線回路部の一部を覆って絶縁カバー部材を取り付けた灯具用電源アダプターの斜視図、（Ｂ）は絶縁カバー部材と絶縁樹脂体を結合させた状態を示す斜視図である。
【図１５】図１５は絶縁カバー部材の斜視図である。
【図１６】図１６はロック手段の別形態を示し、第１位置でのスライド外部端子の絶縁基板に対するロック状態を示す斜視図である。
【図１７】図１７は第２位置でのスライド外部端子の絶縁基板に対するロック状態を示す斜視図である。
【発明を実施するための形態】
【００２２】
以下、本発明を適用した具体的な実施形態について図面を参照しながら詳細に説明する。
【００２３】
図１はスライド外部端子を配線コード保護部材に結合させてＴ１０×３１舟形球の一形態に対応させた灯具用電源アダプタの例を示す斜視図、図２はスライド外部端子を配線コード保護部材から離れた位置にスライドさせてＴ１０×３１舟形球の他の形態に対応させた灯具用電源アダプタの例を示す斜視図、図３は配線コード保護部材を示し、図２に示すＡ−Ａ線位置における断面図、図４は配線コード保護部材を示し、その分解断面図、図５は図１に示す灯具用電源アダプタを構成する絶縁基板を示し、（Ａ）は裏面図、（Ｂ）は（Ｃ）の左側面図、（Ｃ）は正面図、（Ｄ）は（Ｃ）の右側面図、図６は図１に示すスライド外部端子を構成する絶縁樹脂体を示し、（Ａ）は一方の絶縁樹脂体の正面図、（Ｂ）は他方の絶縁樹脂体の正面図、（Ｃ）は（Ａ）の右側面図、（Ｄ）は（Ｂ）の右側面図、図７は図１に示す灯具用電源アダプタを構成する電極を示し、（Ａ）は正面図、（Ｂ）はその上面図、（Ｃ）はその右側面図である。
【００２４】
図８（Ａ）はＴ１０×３１舟形球の一形態の正面図、（Ｂ）はこのＴ１０×３１舟形球に対応させた灯具用電源アダプタの正面図、（Ｃ）は（Ｂ）の右側面図、図９（Ａ）はＴ１０×３１舟形球の別形態の正面図、（Ｂ）はこのＴ１０×３１舟形球に対応させた灯具用電源アダプタの正面図、（Ｃ）は（Ｂ）の右側面図、図１０（Ａ）はＧ１４球の正面図、（Ｂ）はこのＧ１４球に対応させた灯具用電源アダプタの正面図、（Ｃ）は（Ｂ）の右側面図、図１１（Ａ）はＴ１０ウェッジ球の正面図、（Ｂ）はこのＴ１０ウェッジ球に対応させた灯具用電源アダプタの正面図、（Ｃ）は（Ｂ）の右側面図、図１２はＴ１０×３１舟形球の一形態に換えてこれに対応する灯具用電源アダプタをランプソケットに装着する例を示す車両用灯具の全体斜視図、図１３はＴ１０×３１舟形球の別形態に換えてこれに対応する灯具用電源アダプタをランプソケットに装着する例を示す車両用灯具の全体斜視図である。
【００２５】
本実施形態の灯具用電源アダプタ１は、図１２又は図１３に示すように、白熱球２が装着されるランプソケット３に着脱自在に取り付けられることにより、配線コード４（４Ａ、４Ｂ）が接続されたＬＥＤバルブ５を前記白熱球２に換えて点灯させるためのアダプタである。本実施形態では、ＬＥＤバルブ実装基板６に複数個のＬＥＤバルブ５を配置して固定してある。ＬＥＤバルブ５は、白熱球に比べて低消費電力且つ発光色が美しく、更に二酸化炭素排出量も少ない点で白熱球より優れている。
【００２６】
前記灯具用電源アダプタ１は、図１及び図２に示すように、白熱球２の種類により異なる形状とされたランプソケット３のそれぞれに対して装着可能な絶縁基板７と、この絶縁基板７に形成されて前記配線コード４（４Ａ、４Ｂ）と接続される配線回路部８（８Ａ、８Ｂ）とを有している。
【００２７】
一方の配線コード４Ａ（以下、第１配線コード４Ａと言う）は、一方の配線回路部８Ａ（第１配線回路部８Ａと言う）と接続されている。他方の配線コード４Ｂ（以下、第２配線コード４Ｂと言う）は、他方の配線回路部８Ｂ（第２配線回路部８Ｂと言う）と接続されている。
【００２８】
第１配線コード４Ａは、図３に示すように、第１配線回路部８Ａに対してハンダ９にて接続されている。同じく、第２配線コード４Ｂは、第２配線回路部８Ｂに対してハンダ９にて接続されている。そして、各第１及び第２配線コード４Ａ、４Ｂと第１及び第２配線回路部８Ａ、８Ｂの接続部分（ハンダ接続部）に、該接続部分を覆って保護し、各第１及び第２配線コード４Ａ、４Ｂを挿入させる配線コード引出し孔１０が形成された配線コード保護部材１１が設けられている。
【００２９】
配線コード保護部材１１は、図４に示すように、絶縁基板７の表面７ａと裏面７ｂにそれぞれ設けられ、前記絶縁基板７をその厚み方向から挟み込んで結合される２つの保護部材１１Ａ、１１Ｂから構成されている。
【００３０】
一方の保護部材１１Ａには、配線コード引出し孔１０が形成されている。この配線コード引出し孔１０の入口には、第１及び第２配線コード４Ａ、４Ｂのシース（外被）に食い込んで抜けを防止するためのコード抜け防止爪部１２が形成されている。また、配線コード引出し孔１０の奥には、前記ハンダ９との接触を回避するための空間部１３が形成されている。また、この保護部材１１Ａには、前記絶縁基板７に形成された保護部材取付孔１４に挿入される結合突起部１５が形成されている。
【００３１】
他方の保護部材１１Ｂには、一方の保護部材１１Ａに形成された結合突起部１５と嵌合して両者を固定するための結合用突部１６が形成されている。この結合用突部１６は、前記結合突起部１５の中心に形成された凹部１７に挿入され嵌合されることで、２つの保護部材１１Ａ、１１Ｂを結合させる。本実施形態では、２つの保護部材１１Ａ、１１Ｂを略半円形状としている。
【００３２】
前記絶縁基板７は、図５に示すように、平面形状を両端が尖った（第１尖端部７Ａ及び第２尖端部７Ｂを有した）いわゆる船形状としており、図８及び図９に示す２つの形態のＴ１０×３１舟形球１８、１９と、図１０に示すＧ１４球２０と、図１１に示すＴ１０ウェッジ球２１の異なる形状とされた全ての白熱球に対応する形状とされている。かかる絶縁基板７は、その長手方向に設けられた対象軸Ｘを中心に二つに重なり合う線対象形状とされている。この絶縁基板７の一方の尖端部である第２尖端部７Ｂの近傍には、両側面７ｃ、７ｄからそれぞれ突出する突出部２２が形成されている。
【００３３】
前記絶縁基板７の表面７ａと裏面７ｂには、それぞれ第１配線回路部８Ａと第２配線回路部８Ｂとが形成されている。第１配線回路部８Ａは斜線で示し、第２配線回路部８Ｂは塗り潰して示すことで、両者を区別してある。絶縁基板７の表面７ａのうち対象軸Ｘを堺として図５（Ｃ）中向かって左側の領域に第１配線回路部８Ａが主として形成され、右側の領域に第２配線回路部８Ｂが主として形成されている。
【００３４】
表面７ａに形成される第１配線回路部８Ａは、前記した保護部材取付孔１４から突出部２２が形成されていない他方の尖端部である第１尖端部７Ａまでの領域では幅広パターン部８Ａ１とされ、保護部材取付孔１４から突出部２２までの領域では左側面７ｃに近い部分のみに形成された幅狭パターン部８Ａ２とされている。
【００３５】
幅狭パターン部８Ａ２は、前記突出部２２が形成される領域まで延びている。前記幅広パターン部８Ａ１は、前記保護部材取付孔１４と後述する第１スライド外部端子をスライド自在とするために絶縁基板７に形成した第１長穴２３が形成される部位を避けて段差形状に形成されている。第１尖端部７Ａでは、前記対象軸Ｘを堺として左側の全領域に第１配線回路部８Ａが形成されている。また、対象軸Ｘを堺として右側の突出部２２が設けられた領域にも第１配線回路部８Ａが形成されている。この第１配線回路部８Ａは、突出部２２とその突出部近傍の領域に右側面７ｄに沿って長手方向に沿う縦延びパターン部８Ａ３とされている。
【００３６】
この一方、表面７ａに形成される第２配線回路部８Ｂは、第１尖端部７Ａの先端近傍から後述の第２スライド外部端子をスライド自在とするために絶縁基板７に形成した第２長穴２４の途中までの領域では右側面７ｄまでは達しない中幅パターン部８Ｂ１とされ、その第２長穴２４の途中から突出部２２までの領域では幅狭パターン部８Ｂ２とされると共に、第２尖端部７Ｂでは対象軸Ｘを挟んで左側と右側の両方に跨る幅広パターン部８Ｂ３とされている。また、中幅パターン部８Ｂ１のうち第１尖端部７Ａに近い領域では、右側面７ｄに向かって延びた横延びパターン部８Ｂ４とされている。なお、中幅パターン部８Ｂ１は、幅広パターン部８Ｂ３よりもその配線パターン幅が狭く、幅狭パターン部８Ｂ２よりはその配線パターン幅が広くなっている。
【００３７】
また、前記絶縁基板７の裏面７ｂのうち、図５（Ａ）の第１尖端部７Ａ寄りの領域に第１配線回路部８Ａと第２配線回路部８Ｂがそれぞれ主に形成され、第２尖端部７Ｂ寄りの領域に第１配線回路部８Ａと第２配線回路部８Ｂがそれぞれ形成されている。
【００３８】
第１尖端部７Ａ寄りの領域に形成される第１配線回路部８Ａは、保護部材取付孔１４から第１尖端部７Ａまでの領域では幅広パターン部８Ａ４とされている。この幅広パターン部８Ａ４は、前記保護部材取付孔１４と第１長穴２３が形成される部位を避けて段差形状に形成されている。また、第１尖端部７Ａでは、前記対象軸Ｘを堺として右側の全領域に第１配線回路部８Ａが形成されている。
【００３９】
第１尖端部７Ａ寄りの領域に形成される第２配線回路部８Ｂは、保護部材取付穴１４から第１尖端部７Ａの近傍までの領域では中幅パターン部８Ｂ５とされると共に、この中幅パターン部８Ｂ５から右側面７ｄに向かって延びた横延びパターン部８Ｂ６とされている。
【００４０】
第２尖端部７Ｂ寄りの領域に形成される第１配線回路部８Ａは、左右の突出部２２間の領域ではそれら突出部２２同士を結ぶように直線状をなす幅狭パターン部８Ａ５とされると共に、各突出部２２近傍部の領域では各側面７ｃ、７ｄに沿って長手方向に沿う縦延びパターン部８Ａ６とされている。
【００４１】
第２尖端部７Ｂ寄りの領域に形成される第２配線回路部８Ｂは、対象軸Ｘを挟んで左側と右側の両方に跨る幅広パターン部８Ｂ７とされている。この幅広パターン部８Ｂ７は、前記した第１配線回路部８Ａの幅狭パターン部８Ａ５と接触しないようにされている。
【００４２】
また、前記絶縁基板７の左側面７ｃには、図５（Ｂ）に示すように、第１配線回路部８Ａと第２配線回路部８Ｂが形成されている。第１配線回路部８Ａは、絶縁基板７の裏面７ｂに形成された幅広パターン部８Ａ４と対応して保護部材取付孔１４から第１尖端部７Ａまでの領域に左側面７ｃを覆う長形パターン部８Ａ７と、同じく絶縁基板７の裏面７ｂに形成された縦延びパターン部８Ａ６と対応して突出部２２の近傍部の領域に左側面７ｃを覆う短形パターン部８Ａ８とされている。第２配線回路部８Ｂは、絶縁基板７の裏面７ｂに形成された幅広パターン部８Ｂ７と対応して第２尖端部７Ｂの先端側領域に左側面７ｃを覆う短形パターン部８Ｂ８とされている。
【００４３】
また、前記絶縁基板７の右側面７ｄには、図５（Ｄ）に示すように、第１配線回路部８Ａと第２配線回路部８Ｂが形成されている。第１配線回路部８Ａは、絶縁基板７の表面７ａに形成された縦延びパターン部８Ａ３と対応して突出部２２近傍の領域に右側面７ｄを覆う短形パターン部８Ａ９とされている。第２配線回路部８Ｂは、絶縁基板７の表面７ａに形成された横延びパターン部８Ｂ４と対応する領域に右側面７ｄを覆う短形パターン部８Ｂ８と、同じく絶縁基板７の表面７ａに形成された幅広パターン部８Ｂ３と対応して第２尖端部７Ｂの先端側領域に右側面７ｄを覆う短形パターン部８Ｂ９とされている。
【００４４】
前記した配線パターン形状を持つ配線回路部８は、図１２及び図１３に示す２つの形態のＴ１０×３１舟形球１８、１９を装着させるランプソケット３に設けられたソケット電極端子２５、２６に接して導通する外部端子を、その配線回路部８の一部に備えている。この配線回路８の一部を外部端子とすることに関する説明は、次のスライド外部端子の説明後に行う。外部端子は、配線回路部８の一部を外部端子とする他に、絶縁基板７に対してスライド自在に取り付けられて配線回路部８と接続されるスライド外部端子２７、２８（図１及び図２参照）も含まれる。
【００４５】
スライド外部端子２７、２８は、絶縁基板７に固定された配線コード保護部材１１を挟んでその両側にそれぞれスライド自在に設けられている。スライド外部端子２７、２８は、絶縁基板７に形成された第１長穴２３と第２長穴２４をガイドとして表面７ａ及び裏面７ｂに沿ってスライド自在とされる絶縁樹脂体２９と、この絶縁樹脂体２９に取り付けられた電極３０とからなる。
【００４６】
絶縁樹脂体２９は、図６に示すように、絶縁基板７の表面７ａと裏面７ｂにそれぞれ設けられ、前記絶縁基板７をその厚み方向から挟み込んで結合される２つの樹脂体２９Ａ、２９Ｂから構成されている。各樹脂体２９Ａ、２９Ｂは、何れも絶縁性に優れたナイロン樹脂（ナイロンは登録商標）から形成されている。
【００４７】
一方の樹脂体２９Ａには、他方の樹脂体２９Ｂと結合して両者を固定するための結合用突部３１が形成されている。他方の樹脂体２９Ｂには、前記結合用突部３１を挿入嵌合させる凹部３２を中心に有した円筒形状のスライドガイド部３３が形成されている。スライドガイド部３３は、第１長穴２３及び第２長穴２４に挿入されて前記スライド外部端子２７、２８のスライドを案内する。
【００４８】
また、２つの樹脂体２９Ａ、２９Ｂには、電極３０をその外周囲に巻き付けて装着させた時に該電極３０を固定するための電極固定用孔３４が細長いスリット孔として形成されている。また、これら樹脂体２９Ａ、２９Ｂには、それぞれ２つの穴部３５、３５が形成されている。穴部３５は、絶縁基板７の表面７ａ又は裏面７ｂと接する面から高さ方向に切れ込んだ長穴とされている。本実施形態では、２つの樹脂体２９Ａ、２９Ｂを略半円形状としている。
【００４９】
電極３０は、図７に示すように、２つの樹脂体２９Ａ、２９Ｂが結合されて略円形状をなす絶縁樹脂体２９の外周囲に巻き付くようにされている。かかる電極３０は、例えば導電性に優れた真鍮から形成され、絶縁樹脂体２９の外周囲に巻き付く装着部３６と、各樹脂体２９Ａ、２９Ｂに形成された電極固定用孔３４に挿入される電極固定用挿入片３７とを有している。
【００５０】
装着部３６は、一部を開口させたＣ型形状に形成されている。この装着部３６には、絶縁基板７の右側面７ｄに接触する接触部３８が形成されている。接触部３８は、装着部３６の外側から内側に向かって絶縁基板７と対向する部位を膨出させることで曲面を有した膨出突部とされている。
【００５１】
電極固定用挿入片３７は、装着部３６の一側縁３６ａから互いに接近する方向に向く垂直片３７ａと、この垂直片３７ａの先端から直角に内側へ折り曲がる挿入片３７ｂとからなる。前記電極３０と前記絶縁樹脂体２９とは、前記挿入片３７を前記各樹脂体２９Ａ、２９Ｂの電極固定用孔３４に挿入させることで結合される。また、前記挿入片３７ｂには、電極固定用孔３４から該挿入片３７ｂが容易に抜け出ないようにするための抜止め防止部３９が形成されている。抜止め防止部３９は、前記挿入片３７ｂの両側縁に鋸刃形状を付けることにより形成されている。
【００５２】
前記電極３０は、スライド外部端子２７、２８を絶縁基板７の第１位置（例えば図２で示す位置）に移動させた時には前記配線回路部８のうち絶縁基板７の右側面７ｄに回り込んで形成された部位（第１配線回路部８Ａの短形パターン部８Ａ９と第２配線回路部８Ｂの短形パターン部８Ｂ８）に接触して外部端子として機能する。
【００５３】
具体的には、一方のスライド外部端子２８に形成したスライドガイド部３３が絶縁基板７に形成された第２長穴２４の外側端部に接触して当該スライド外部端子２８が外側の最端位置（この位置を第１位置とする）までスライドすると、絶縁基板７の右側面７ｄに回り込んで形成された第１配線回路部８Ａの短形パターン部８Ａ９に前記電極３０の接触部３８が接触することにより、前記スライド外部端子２８が外部端子となる。
【００５４】
また、他方のスライド外部端子２７に形成したスライドガイド部３３が絶縁基板７に形成された第１長穴２３の外側端部に接触して当該スライド外部端子２７が最外側位置（この位置を第１位置とする）までスライドすると、絶縁基板７の右側面７ｄに回り込んで形成された第２配線回路部８Ｂの短形パターン部８Ｂ８に前記電極３０の接触部３８が接触することにより、前記スライド外部端子２７が外部端子となる。
【００５５】
また、前記電極３０は、スライド外部端子２７、２８を第１位置とは異なる第２位置（例えば図１で示す位置）に移動させた時には前記配線回路部８のうち絶縁基板７の右側面７ｄに回り込んで形成された部位（第１配線回路部８Ａの短形パターン部８Ａ９と第２配線回路部８Ｂの短形パターン部８Ｂ８）と非接触となり外部端子として機能しないようになる。
【００５６】
具体的には、一方のスライド外部端子２８に形成したスライドガイド部３３が絶縁基板７に形成された第２長穴２４の内側端部に接触して当該スライド外部端子２８が配線コード保護部材１１に接触する最内側位置（この位置を第２位置とする）までスライドすると、絶縁基板７の右側面７ｄに回り込んで形成された第１配線回路部８Ａの短形パターン部８Ａ９と前記電極３０の接触部３８とが非接触となることにより、前記スライド外部端子２８が外部端子として機能しなくなる。
【００５７】
また、他方のスライド外部端子２７に形成したスライドガイド部３３が絶縁基板７に形成された第１長穴２３の内側端部に接触して当該スライド外部端子２７が配線コード保護部材１１に接触する最内側位置（この位置を第２位置とする）までスライドすると、絶縁基板７の右側面７ｄに回り込んで形成された第２配線回路部８Ｂの短形パターン部８Ｂ８と前記電極３０の接触部３８とが非接触となることにより、前記スライド外部端子２７が外部端子として機能しなくなる。
【００５８】
また、前記第１位置及び第２位置には、前記スライド外部端子２７、２８の絶縁基板７に対するスライドを不可能とするロック手段が設けられている。ロック手段は、絶縁基板７に形成された第１及び第２長穴２３、２４の両端部に形成された該第１及び第２長穴２３、２４の幅よりも狭い溝部２３ａ、２４ａと、前記絶縁樹脂体２９に形成され、前記第１及び第２長穴２３、２４に挿入されて前記溝部２３ａ、２４ａに入り込みロックされるスライドガイド部３３とからなる。
【００５９】
以上のように構成された灯具用電源アダプタ１によれば、Ｔ１０×３１舟形球１８、１９だけでなくＧ１４球２０やＴ１０ウェッジ球２１が装着されるランプソケット３に着脱自在に取り付けてＬＥＤバルブ５を前記した白熱球に換えて点灯させることができる。
【００６０】
図８（Ａ）に示す形態の２つの電極（ａ極（プラス極）及びｂ極（マイナス極））を持つＴ１０×３１舟形球１８に対しては、灯具用電源アダプタ１を構成する２つのスライド外部端子２７、２８を図２で示した第１位置にスライドさせることで、一方のスライド外部端子２８をａ極として機能させると共に他方のスライド外部端子２７をｂ極として機能させる。こうするとことで、図８（Ａ）に示す形態のＴ１０×３１舟形球１８に換えて図８（Ｂ）及び（Ｃ）の灯具用電源アダプタ１を図１２に示すランプソケット３に装着したときに、ａ極及びｂ極として機能するスライド外部端子２７、２８が各ソケット電極端子２５、２５にそれぞれ接して導通することになる。その結果、Ｔ１０×３１舟形球１８に換えてＬＥＤバルブ５を点灯させることができる。
【００６１】
また、図９（Ａ）に示す形態の両端に２つの電極（ａ極（プラス極）及びｂ極（マイナス極））を持つＴ１０×３１舟形球１９に対しては、灯具用電源アダプタ１を構成する２つのスライド外部端子２７、２８を図１で示した第２位置にスライドさせることで、第１配線回路部８Ａの第１尖端部７Ａに形成された幅広パターン部８Ａ１、８Ａ４及び長形パターン部８Ａ７をａ極として機能させると共に、第２配線回路部８Ｂの第２尖端部７Ｂに形成された幅広パターン部８Ｂ３、８Ｂ７及び短形パターン部８Ｂ８、８Ｂ９をｂ極として機能させる。こうするとことで、図９（Ａ）に示す形態のＴ１０×３１舟形球１９に換えて図９（Ｂ）及び（Ｃ）の灯具用電源アダプタ１を図１３に示すランプソケット３に装着したときに、ａ極及びｂ極として機能する第１尖端部７Ａ及び第２尖端部７Ｂに形成された第１配線回路部８Ａ及び第２配線回路部８Ｂが各ソケット電極端子２６、２６にそれぞれ接して導通することになる。その結果、Ｔ１０×３１舟形球１９に換えてＬＥＤバルブ５を点灯させることができる。
【００６２】
図１０（Ａ）に示す形態の２つの電極（ａ極（プラス極）及びｂ極（マイナス極））を持つＧ１４球２０に対しては、灯具用電源アダプタ１を構成する２つのスライド外部端子２７、２８を図１で示した第２位置にスライドさせることで、第１配線回路部８Ａの右側面７ｄ及び左側面７ｃに形成された短形パターン部８Ａ９と短形パターン部８Ａ８をｂ極として機能させると共に、第２配線回路部８Ｂの第２尖端部７Ｂに形成された幅広パターン部８Ｂ３、８Ｂ７及び短形パターン部８Ｂ８、８Ｂ９をａ極として機能させる。こうするとことで、図１０（Ａ）に示す形態のＧ１４球２０に換えて図９（Ｂ）及び（Ｃ）の灯具用電源アダプタ１を使用することができる。
【００６３】
図１１（Ａ）に示す形態の２つの電極（ａ極（プラス極）及びｂ極（マイナス極））を持つＴ１０ウェッジ球２１に対しては、灯具用電源アダプタ１を構成する２つのスライド外部端子２７、２８を図１で示した第２位置にスライドさせ且つ突出部２２が上方を向くようにすることで、第１配線回路部８Ａの第１尖端部７Ａに形成された幅広パターン部８Ａ４をｂ極として機能させると共に、第２配線回路部８Ｂの第１尖端部７Ａに形成された中幅パターン部８Ｂ１をａ極として機能させる。こうすることで、図１１（Ａ）に示す形態のＴ１０ウェッジ球２１に換えて図１１（Ｂ）及び（Ｃ）の灯具用電源アダプタ１を使用することができる。なお、この灯具用電源アダプタ１は、図１１（Ｂ）の絶縁基板７が表面７ａを向いた状態から１８０度反転させて裏面７ｂが表を向いた状態にしても前記Ｔ１０ウェッジ球２１に換えて使用できる。この場合は、前記幅広パターン部８Ａ４がａ極、前記中幅パターン部８Ｂ１がｂ極となる。
【００６４】
前記した灯具用電源アダプタ１は、図１の形態でそのまま使用することができるが、使用していない外部端子を覆うことでその外部端子を保護することもできる。具体的には、図１４に示す絶縁カバー部材４０を、使用していない外部端子を覆うように絶縁基板７に装着する。
【００６５】
絶縁カバー部材４０は、図１５に示すように、絶縁樹脂からなる円柱体とされ、その長手方向の一端面４０ａに、絶縁基板７を第１尖端部７Ａと第２尖端部７Ｂのどちらからでも挿入させることのできるスリット穴４１を形成している。例えば、このスリット穴４１に第１尖端部７Ａを挿入方向として前記絶縁基板７を挿入すると、一方のスライド外部端子２７から第１尖端部７Ａまでの間に形成された配線回路部８（この配線回路部８の一部が外部端子になる）の全部位が絶縁カバー部材４０によって覆われることになる。
【００６６】
また、この絶縁カバー部材４０の一端面４０ａには、スライド外部端子２７を構成する絶縁樹脂体２９に形成された穴部３５に挿入嵌合する結合用突起部４２が形成されている。これら結合用突起部４２は、それぞれの穴部３５に挿入嵌合されることで、前記絶縁カバー部材４０と前記スライド外部端子２７とを結合させる。これにより、絶縁カバー部材４０は、絶縁基板７から不用意に抜け落ちることがなく、使用していない配線回路部８を確実に保護することができる。
【００６７】
以上のように構成された灯具用電源アダプタ１に、図１２及び図１３に示すように、配線コード４を接続してＬＥＤバルブ５を接続することで、本発明の車両用灯具が完成する。
【００６８】
［作用効果］
本実施形態の灯具用電源アダプタ１によれば、外部端子を白熱球の種類に応じて複数設けた構造としているので、各種のランプソケット３に対してそれぞれに応じた外部端子が接続されることになり、一つの灯具用電源アダプタ１のみで各種類の白熱球に対する代替えを実現することができる。
【００６９】
また、本実施形態の灯具用電源アダプタ１によれば、配線回路部８の一部を外部端子とする他に、絶縁基板７に対してスライド自在に取り付けられて前記配線回路部８と接続されるスライド外部端子２７、２８を外部端子としているため、より多くの白熱球の種類に対応可能となる。
【００７０】
また、本実施形態の灯具用電源アダプタ１によれば、配線コード４と配線回路部８との接続部分に、該接続部分を覆って保護する配線コード保護部材１１を設けているので、この配線コード保護部材１１によりハンダ接続される接続部分を保護することができる。
【００７１】
また、本実施形態の灯具用電源アダプタ１によれば、絶縁樹脂体２９と電極３０から構成したスライド外部端子２７、２８を絶縁基板７上でスライドさせてその位置を適宜位置に移動させることで、前記電極３０を絶縁基板７の側面７ｃ、７ｄに回り込んで形成した配線回路部８のパターン部に接触させて外部端子として機能させると共に、該電極３０を該配線回路部８のパターン部と非接触となして外部端子として機能させないようにしているので、前記スライド外部端子２７、２８を所定位置（第１位置及び第２位置）に移動させるだけの簡単な構造で、各種類の白熱球に対応させることができる。
【００７２】
また、本実施形態の灯具用電源アダプタ１によれば、スライド外部端子２７、２８の絶縁基板７に対するスライドを不可能とするロック手段を第１位置と第２位置に設けているので、これら第１位置と第２位置にスライド外部端子２７、２８を固定することができる。
【００７３】
また、本実施形態の灯具用電源アダプタ１によれば、ロック手段を、絶縁基板７に形成した第１及び第２長穴２３、２４の両端部に形成した該長穴２３、２４の幅よりも狭い溝部２３ａ、２４ａと、この第１及び第２長穴２３、２４に挿入されて前記溝部２３ａ、２４ａに入り込みロックされるスライドガイド部３３とで構成しているので、前記スライドガイド部３３が溝部２３ａ、２４ａに入り込むことで確実にスライド外部端子２７、２８を絶縁基板７に対してロックすることができる。
【００７４】
また、本実施形態の灯具用電源アダプタ１によれば、配線回路部８の一部を覆って保護する絶縁カバー部材４０を絶縁基板７に着脱自在に取り付けているので、この絶縁カバー部材４０によって配線回路部８を保護することができる。
【００７５】
また、本実施形態の灯具用電源アダプタ１によれば、絶縁カバー部材４０が使用していない外部端子を覆うため、この絶縁カバー部材４０によって外部端子に傷などが付くことを防ぐことができる。
【００７６】
また、本実施形態の車両用灯具によれば、数種類の白熱球に対応して１つの灯具用電源アダプタ１のみで白熱球に換えてＬＥＤバルブ５を点灯させることができる。その結果、白熱球の種類に応じて数種類の灯具用電源アダプタを用意する必要が無くなる。
【００７７】
［その他の実施形態］
図１６及び図１７は、第１位置及び第２位置におけるスライド外部端子２７、２８の絶縁基板７に対するスライドを不可能とするロック手段の別実施形態を示す。図１６は、スライド外部端子２７、２８が第１位置で絶縁基板７にロックされた状態、図１７はスライド外部端子２７、２８が第２位置で絶縁基板７にロックされた状態である。
【００７８】
この実施形態では、第１位置でのロック手段は、絶縁基板７に形成された第１及び第２長穴２３、２４の外側端部に形成された該第１及び第２長穴２３、２４の幅よりも狭い溝部２３ａ、２４ａと、前記絶縁樹脂体２９に形成され、前記第１及び第２長穴２３、２４に挿入されて前記溝部２３ａ、２４ａに入り込みロックされるスライドガイド部３３とからなる。
【００７９】
第２位置でのロック手段は、配線コード保護部材１１に形成された突起部４３と、スライド外部端子２７、２８が図１７で示す第２位置に移動した時に該突起部４３を嵌合させる絶縁樹脂体２９に形成された穴部３５とからなる。前記突起部４３が前記穴部３５に挿入嵌合することで、配線コード保護部材１１に対してスライド外部端子２７、２８のスライド移動が阻止されてロックされることになる。
【産業上の利用可能性】
【００８０】
本発明は、既存の白熱球をＬＥＤバルブに代替えするための灯具用電源アダプタに利用することができる。
【符号の説明】
【００８１】
１…灯具用電源アダプタ
２…白熱球
３…ランプソケット
４…配線コード
５…ＬＥＤバルブ
７…絶縁基板
８…配線回路部
８Ａ…第１配線回路部
８Ｂ…第２配線回路部
１１…配線コード保護部材
１８、１９…Ｔ１０×３１舟形球（白熱球）
２０…Ｇ１４球（白熱球）
２１…Ｔ１０ウェッジ球（白熱球）
２３…第１長穴
２４…第２長穴
２３ａ、２４ａ…溝部（ロック手段）
２５、２６…ソケット電極端子
２７、２８…スライド外部端子（外部端子）
２９…絶縁樹脂体（スライド外部端子）
３０…電極（スライド外部端子）
３３…スライドガイド部（ロック手段）
３５…穴部（ロック手段）
４０…絶縁カバー部材
４３…突起部（ロック手段）
【図１】
0005545986.tif 000002
【図２】
0005545986.tif 000003
【図３】
0005545986.tif 000004
【図４】
0005545986.tif 000005
【図５】
0005545986.tif 000006
【図６】
0005545986.tif 000007
【図７】
0005545986.tif 000008
【図８】
0005545986.tif 000009
【図９】
0005545986.tif 000010
【図１０】
0005545986.tif 000011
【図１１】
0005545986.tif 000012
【図１２】
0005545986.tif 000013
【図１３】
0005545986.tif 000014
【図１４】
0005545986.tif 000015
【図１５】
0005545986.tif 000016
【図１６】
0005545986.tif 000017
【図１７】
0005545986.tif 000018